(57)【特許請求の範囲】
【請求項１】
瓦葺き前の屋根面又は瓦葺きの屋根面の上下方向に所定の間隔で設置し上端固定フレームを固定する複数の長尺の屋根固定フレームと、複数の平面形状が四角形の太陽電池モジュールと、横方向に設置され複数の太陽電池モジュールの下端部を固定する長尺の下端固定フレームと、前記下端固定フレームの下に位置して下端固定フレームと係合固定するとともに横方向に設置され複数の太陽電池モジュールの上端部を固定する長尺の上端固定フレームと、横方向に設置された複数の太陽電池モジュールの各太陽電池モジュールの右側端を固定する長尺の右側端固定フレームと、横方向に設置された複数の太陽電池モジュールの各太陽電池モジュールの左側端を固定する長尺の左側端固定フレームとからなり、前記上端固定フレームは、横方向に設置される複数の太陽電池モジュールの上端部と係合してこれら太陽電池モジュールの上端部を固定する太陽電池モジュール上端係合部と、前記下端固定フレームと係合する下端固定フレーム係合部と、前記屋根固定フレームの上端固定フレーム係合部と係合して上端固定フレームを固定する屋根固定部材係合部と、前記下端固定フレームの太陽電池モジュール下端係合部の隙間等から漏れた雨水又は上段の太陽電池モジュール内面の結露等による水を溜める雨樋部と、前記雨樋部に溜まった水を下段の太陽電池モジュール上に排水する少なく共１つ以上の排水口と、下段の太陽電池モジュールの上端を覆うようして雨水の侵入を防止する雨水侵入防止部と、該上端固定フレームを前記右側端固定フレーム及び左側端固定フレームと係合固定するためのフレーム間固定部材とからなることを特徴とする屋根一体型太陽電池モジュール。
【請求項２】
前記屋根固定フレームは、屋根面に接して固定されるフレーム部と、前記上端固定フレームと係合して上端固定フレームを固定する複数の上端固定フレーム係合部とからなることを特徴とする請求項１記載の屋根一体型太陽電池モジュール。
【請求項３】
前記下端固定フレームは、横方向に設置される複数の太陽電池モジュールの下端部と係合してこれら太陽電池モジュールの下端部を固定する太陽電池モジュール下端係合部と、前記上端固定フレームと係合する上端固定フレーム係合部と、該下端固定フレームを前記右側端固定フレーム及び左側端固定フレームと係合固定するためのフレーム間固定部材とからなることを特徴とする請求項１記載の屋根一体型太陽電池モジュール。
【請求項４】
前記右側端固定フレームは、前記左側端固定フレームと接合する左側端固定フレーム接合部と、前記左側端固定フレームと係合する左側端固定フレーム係合部と、該フレームの左側の太陽電池モジュールの右側端と係合して固定する太陽電池モジュール右側端係合部と、該右側端固定フレームを前記下端固定フレーム又は上端固定フレームに係合固定するためのフレーム間固定部材とからなることを特徴とする請求項１記載の屋根一体型太陽電池モジュール。
【請求項５】
前記左側端固定フレームは、前記右側端固定フレームと接合する右側端固定フレーム接合部と、前記右側端固定フレームと係合する右側端固定フレーム係合部と、該フレームの右側の太陽電池モジュールの左側端と係合して固定する太陽電池モジュール左側端係合部と、前記太陽電池モジュール左側端係合部の隙間等から漏れた雨水又は該フレームに係合する右側の太陽電池モジュール内面の結露等による水を溜める第１雨樋部と、該左側端固定フレームと前記右側端固定フレームとの隙間から漏れた雨水を溜める第２雨樋部と、前記太陽電池モジュール左側端係合部隙間等から漏れた雨水、該フレームに係合する左側の太陽電池モジュール内面の結露等による水、及び前記第２雨樋部からオーバーフローした水を溜める第３雨樋部と、該左側端固定フレームを前記下端固定フレーム又は上端固定フレームに係合固定するためのフレーム間固定部材、からなることを特徴とする請求項１記載の屋根一体型太陽電池モジュール。
【発明の詳細な説明】
【０００１】
【発明の属する技術分野】
本発明は、瓦葺き作業と同様の作業で太陽電池モジュールの施工可能で且つ瓦葺きが不要な屋根一体型太陽電池モジュールに関する。
【０００２】
【従来の技術】
従来の架台を使用した太陽電池モジュールにおいては、架台を構成する各フレームと各太陽電池モジュール間及び架台自体に防水に関する考慮がされていないため、瓦葺きした後の防水対策が施された屋根面に設置せざるを得ず、また、その設置方法も特殊であるため、専門的知識を必要とし、電気工事との並行作業となるため、施工が煩雑になる、という問題があった。
【０００３】
【発明が解決しようとする課題】
本発明は、前記のような問題点を解消するためになされたもので、本発明の目的は、架台を構成する各フレーム間及び各フレームとこれらに接する太陽電池モジュール間の防水性を向上させることにより、新築家屋においては瓦葺き前の屋根面、既築家屋においては瓦の上に太陽電池モジュールを施工可能にすることである。
【０００４】
【課題を解決するための手段】
（１）本発明は、瓦葺き前の屋根面又は瓦葺きの屋根面の上下方向に所定の間隔で設置し上端固定フレームを固定する複数の長尺の屋根固定フレームと、複数の平面形状が四角形の太陽電池モジュールと、横方向に設置され複数の太陽電池モジュールの下端部を固定する長尺の下端固定フレームと、前記下端固定フレームの下に位置して下端固定フレームと係合固定するとともに横方向に設置され複数の太陽電池モジュールの上端部を固定する長尺の上端固定フレームと、横方向に設置された複数の太陽電池モジュールの各太陽電池モジュールの右側端を固定する長尺の右側端固定フレームと、横方向に設置された複数の太陽電池モジュールの各太陽電池モジュールの左側端を固定する長尺の左側端固定フレームとからなり、前記上端固定フレームは、横方向に設置される複数の太陽電池モジュールの上端部と係合してこれら太陽電池モジュールの上端部を固定する太陽電池モジュール上端係合部と、前記下端固定フレームと係合する下端固定フレーム係合部と、前記屋根固定フレームの上端固定フレーム係合部と係合して上端固定フレームを固定する屋根固定部材係合部と、前記下端固定フレームの太陽電池モジュール下端係合部の隙間等から漏れた雨水又は上段の太陽電池モジュール内面の結露等による水を溜める雨樋部と、前記雨樋部に溜まった水を下段の太陽電池モジュール上に排水する少なく共１つ以上の排水口と、下段の太陽電池モジュールの上端を覆うようして雨水の侵入を防止する雨水侵入防止部と、該上端固定フレームを前記右側端固定フレーム及び左側端固定フレームと係合固定するためのフレーム間固定部材とからなる屋根一体型太陽電池モジュールである。
【０００５】
（２）本発明は、前記屋根固定フレームが、屋根面に接して固定されるフレーム部と、前記上端固定フレームと係合して上端固定フレームを固定する複数の上端固定フレーム係合部とからなる前記（１）に記載の屋根一体型太陽電池モジュールである。
【０００６】
（３）本発明は、前記下端固定フレームが、横方向に設置される複数の太陽電池モジュールの下端部と係合してこれら太陽電池モジュールの下端部を固定する太陽電池モジュール下端係合部と、前記上端固定フレームと係合する上端固定フレーム係合部と、該下端固定フレームを前記右側端固定フレーム及び左側端固定フレームと係合固定するためのフレーム間固定部材とからなる前記（１）に記載の屋根一体型太陽電池モジュールである。
【０００７】
（４）本発明は、前記右側端固定フレームが、前記左側端固定フレームと接合する左側端固定フレーム接合部と、前記左側端固定フレームと係合する左側端固定フレーム係合部と、該フレームの左側の太陽電池モジュールの右側端と係合して固定する太陽電池モジュール右側端係合部と、該右側端固定フレームを前記下端固定フレーム又は上端固定フレームに係合固定するためのフレーム間固定部材とからなる前記（１）に記載の屋根一体型太陽電池モジュールである。
【０００８】
（５）本発明は、前記左側端固定フレームが、前記右側端固定フレームと接合する右側端固定フレーム接合部と、前記右側端固定フレームと係合する右側端固定フレーム係合部と、該フレームの右側の太陽電池モジュールの左側端と係合して固定する太陽電池モジュール左側端係合部と、前記太陽電池モジュール左側端係合部の隙間等から漏れた雨水又は該フレームに係合する右側の太陽電池モジュール内面の結露等による水を溜める第１雨樋部と、該左側端固定フレームと前記右側端固定フレームとの隙間から漏れた雨水を溜める第２雨樋部と、前記太陽電池モジュール左側端係合部隙間等から漏れた雨水、該フレームに係合する左側の太陽電池モジュール内面の結露等による水、及び前記第２雨樋部からオーバーフローした水を溜める第３雨樋部と、該左側端固定フレームを前記下端固定フレーム又は上端固定フレームに係合固定するためのフレーム間固定部材、とからなる前記（１）に記載の屋根一体型太陽電池モジュールである。
【０００９】
【発明の実施の形態】
以下、本発明の実施の形態を説明する。
本発明は、新築の家屋の瓦葺き前の屋根面又は築後の家屋の瓦葺きの屋根面に対して、瓦の代用として作用する屋根一体型太陽電池モジュールであって、四角形、三角形又は台形等の屋根面に設置することができ、屋根面の上下方向に所定の間隔で設置し上端固定フレームを固定する複数の長尺の屋根固定フレームと、複数の平面形状が四角形の太陽電池モジュールと、横方向に設置され複数の太陽電池モジュールの下端部を固定する長尺の下端固定フレームと、前記下端固定フレームの下に位置して下端固定フレームと係合固定するとともに横方向に設置され複数の太陽電池モジュールの上端部を固定する長尺の上端固定フレームと、横方向に設置された複数の太陽電池モジュールの各太陽電池モジュールの右側端を固定する長尺の右側端固定フレームと、横方向に設置された複数の太陽電池モジュールの各太陽電池モジュールの左側端を固定する長尺の左側端固定フレームとから構成され、架台を構成する下端固定フレームと上端固定フレーム間及び右側端固定フレームと左側端固定フレーム間並びに前記各フレームとこれらに接する太陽電池モジュール間を係合固定する構造にすることにより防水性を向上させ、新築家屋においては瓦葺き前の屋根面、既築家屋においては瓦の上に漏水防止機能を有する瓦兼用の太陽電池モジュールを施工するこにより、屋根一体型の太陽電池モジュールを施工可能にする。
【００１０】
【実施例】
以下に本発明の実施例を説明する。
本発明の屋根一体型太陽電池モジュールは、例えば、図１に示すような四角形の屋根面又は図２に示すような寄せ棟造りの家屋の台形（又は三角形）の屋根面に設置可能で、屋根固定フレーム１と太陽電池モジュール上下端固定金具（フレーム）２と太陽電池モジュール左右側端固定金具（フレーム）３とから構成される。
【００１１】
屋根固定フレーム１は図１及び２に示すように屋根面の横方向に所定間隔隔てて、例えば、各太陽電池モジュールＳＭの両端部及び中間部に、上下方向に複数本設置する。設置方法は、図１１に示すように基本的には新築家屋の瓦を葺く前の防水シート２ａを敷いた屋根面にそのフレーム部１ａをビス又は釘２ｃ等で垂木２ｂに固定する。屋根固定フレーム１には上下方向に所定間隔（太陽電池モジュールの上下端）で複数の上端固定フレーム係合部１ｂが設けられており、上端固定フレーム係合部１ｂは上端固定フレーム２２の屋根固定部材係合部２２ｃと係合することにより、上端固定フレーム２２を固定する。
【００１２】
以下に下端固定フレーム２１の各部の詳細を図３及び図５を用いて説明する。
下端固定フレーム２１は図５に示すように屋根面の横方向に長尺のフレームで、下端固定フレーム２１には、図３に示すように、太陽電池モジュール下端係合部２１ａ、上端固定フレーム係合部２１ｂ、下端固定フレーム２１を右側端フレーム３１又は左側端フレーム３２と係合固定するためのネジ穴Ｎ1 、下端固定フレーム２１を上端固定フレーム２２に係合固定するためのネジ穴ｎ1 が夫々設けられている。
【００１３】
太陽電池モジュール下端係合部２１ａには上段の太陽電池モジュールの下端部を係合固定する２つの舌片が形成されている。
下端固定フレーム２１の底部には上端固定フレーム２２と係合するための上端固定フレーム係合部２１ｂが設けられ、この係合部２１ｂに設けられたネジ穴ｎ1 にネジを貫通して上端固定フレーム２２の下端固定フレーム係合部２２ｂと係合固定することにより、図１１に示すように上端固定フレーム２２に下端固定フレーム２１が係合固定される。
なお、上端固定フレーム２２と下端固定フレーム２１の係合固定は、前記のようなネジ又はビス等による固定方法の他に、上端固定フレーム２２の下端固定フレーム係合部２２ｂ及び下端固定フレーム２１の上端固定フレーム係合部２１ｂをワンタッチで係合固定が可能な弾性を有する凹凸又は雄雌構造のものにしてもよい。
ネジ穴Ｎ1 及びＮ2 が太陽電池モジュール下端係合部２１ａと上端固定フレーム接合部２１ｂとの間の位置に設けられ、このＮ1 及びＮ2 にネジを貫通することにより下端固定フレーム２１と右側端固定フレーム３１及び左側端固定フレーム３２とを固定する。
【００１４】
以下に上端固定フレーム２２の各部の詳細を図４及び図６を用いて説明する。
上端固定フレーム２２は図６に示すように屋根面の横方向に長尺のフレームで、上端固定フレーム２２には、図４に示すように、太陽電池モジュール上端係合部２２ａ、下端固定フレーム係合部２２ｂ、屋根固定部材係合部２２ｃ、雨樋部２２ｄ、雨水侵入防止部２２ｅ、排水口２２ｆ1 ……２２ｆn 、ネジ穴Ｎ2 が夫々設けられている。
【００１５】
太陽電池モジュール上端係合部２２ａには下段の太陽電池モジュールの上端部を係合固定する２つの舌片が形成されている。
下端固定フレーム接合部２２ｂは前述のように下端固定フレーム２１と上端固定フレーム２２とを接合するためのものである。
屋根固定部材係合部２２ｃは前述のように屋根固定フレーム１の上端固定フレーム係合部１ｂと係合して屋根固定フレーム１に上端固定フレーム２２を固定するためのものである。
雨樋部２２ｄは上段の太陽電池モジュールからの雨水等を溜めつつ下段の太陽電池モジュールの上に設けた複数の排水口２２ｆ1 ……２２ｆn から雨水等を下段の太陽電池モジュール上に排出する。
雨水侵入防止部２２ｅは下段の太陽電池モジュールの上に軒から差し出た庇のような構造で、下段の太陽電池モジュールの上端の隙間から雨水が侵入するのを防止するものである。なお、図１１に示すように雨水侵入防止部２２ｅの内側に合成樹脂等からなる中空弾性チューブ２２ｇを設置することにより、より一層雨水の侵入を防止することができる。
ネジ穴Ｎ1 及びＮ2 は太陽電池モジュール上端係合部２２ａと屋根固定部材係合部２２ｃとの間の位置に設けられ、このネジ穴Ｎ1 及びＮ2 にネジを貫通させて上端固定フレーム２２と右側端固定フレーム３１又は左側端固定フレーム３２とを固定する。
【００１６】
以下に右側端固定フレーム３１の各部の詳細を図７及び図９を用いて説明する。
右側端固定フレーム３１は図９に示すように屋根面の上下方向に長尺のフレームで、右側端固定フレーム３１には左側端固定フレーム接合部３１ａ、左側端固定フレーム係合部３１ｂ、太陽電池モジュール右側端係合部３１ｃ、ネジ穴Ｎ2 が夫々設けられ、左側端固定フレーム３２には、右側端固定フレーム接合部３２ａ、右側端固定フレーム係合部３２ｂ、太陽電池モジュール左側端係合部３２ｃ、第１雨樋部３２ｄ、第２雨樋部３２ｅ、第３雨樋部３２ｆ、ネジ穴Ｎ1 が夫々設けられている。
【００１７】
右側端固定フレーム３１の左側端固定フレーム接合部３１ａは左側端固定フレーム３２の右側端固定フレーム接合部３２ａと接合し、右側端固定フレーム３１の左側端固定フレーム係合部３１ｂが左側端固定フレーム３２の右側端固定フレーム係合部３２ｂと係合することにより、図１２に示すように右側端固定フレーム３１と左側端固定フレーム３２とが確実に係合固定される。
太陽電池モジュール右側端係合部３１ｃは太陽電池モジュールの右側端部を係合固定するもので、２つの舌片が形成されている。
ネジ穴Ｎ2 は右側端固定フレーム３１と下端固定フレーム２１又は上端固定フレーム２２をネジ止めにより固定する際のものである。
【００１８】
以下に左側端固定フレーム３２の各部の詳細を図８及び図１０を用いて説明する。
左側端固定フレーム３２は図１０に示すように屋根面の上下方向に長尺のフレームで、左側端固定フレーム３２の右側端固定フレーム接合部３２ａは右側端固定フレーム３１の左側端固定フレーム接合部３１ａと接合し、左側端固定フレーム３２の右側端固定フレーム係合部３２ｂが右側端固定フレーム３１の左側端固定フレーム係合部３１ｂと係合することにより、右側端固定フレーム３１と左側端固定フレーム３２とが確実に係合固定される。
【００１９】
太陽電池モジュール左側端係合部３２ｃは太陽電池モジュールの左側端部を係合固定するもので、２つの舌片が形成されている。
第１雨樋部３２ｄは太陽電池モジュール左側端係合部３２ｃの隙間から漏れる雨水等を溜めるものである。
第２雨樋部３２ｅは右側端固定フレーム３１と左側端固定フレーム３２の隙間から漏れる雨水等を溜めるものである。
第３雨樋部３２ｆは太陽電池モジュール右側端係合部３１ｃの隙間から漏れる雨水等および第２雨樋部３２ｅからオーバーフローした雨水等を溜めるものである。
ネジ穴Ｎ1 は右側端固定フレーム３１と下端固定フレーム２１又は上端固定フ        レーム２２をネジ止めにより固定する際のものである。
なお、前記右側端固定フレーム３１及び／又は左側端固定フレーム３２と下端固定フレーム２１及び／又は上端固定フレーム２２との係合固定をネジ又はビス等による固定方法の他に、ワンタッチで係合固定が可能な弾性を有する凹凸又は雄雌構造のものにしてもよい。
【００２０】
前記本発明の屋根一体型太陽電池モジュールの設置方法を以下に示す。
先ず、新築家屋では図１１に示すように、瓦葺き前の屋根面の防水シート２ａ上に、築後家屋では瓦上に、夫々太陽電池モジュールＳＭの縦方向の設置数に応じた所定寸法の屋根固定フレーム１を、太陽電池モジュールＳＭの横方向の設置数に応じて屋根固定フレーム１を所定の数用意する。
【００２１】
本実施例においては、図１に示すような太陽電池モジュールＳＭ１〜ＳＭ１３を屋根面右下から左上に順次設置するケースについて説明する。
太陽電池モジュールＳＭの両側端及び中間部の下部に屋根固定フレーム１が位置するように複数の屋根固定フレーム１を屋根面の上下方向に平行に固定設置する。
【００２２】
次に、上端固定フレーム２２の屋根固定部材係合部２２ｃを屋根固定フレーム１の上端固定フレーム係合部１ｂと係合させることにより、上端固定フレーム２２を屋根固定フレーム１に固定する。
【００２３】
上端固定フレーム２２の下端固定フレーム係合部２２ｂに下端固定フレーム２１の上端固定フレーム係合部２１ｂを係合させることにより、上端固定フレーム２２に下端固定フレーム２１を固定する。
【００２４】
そして、先ず、右最下段の太陽電池モジュールである太陽電池モジュールＳＭ１を設置する。その設置方法の詳細を以下に説明する。
太陽電池モジュールＳＭ１の下端を下端固定フレーム２１の太陽電池モジュール下端係合部２１ａに係合させ、太陽電池モジュールＳＭ１の右端を右端固定フレーム３１の太陽電池モジュール右側端係合部３１ｃに係合させ、太陽電池モジュールＳＭ１の左端を左端固定フレーム３２の太陽電池モジュール左側端係合部３２ｃに係合させることにより、太陽電池モジュールＳＭ１が設置される。
【００２５】
以下同様に、各太陽電池モジュールＳＭの両側端に右端固定フレーム３１及び左端固定フレーム３２を係合させることにより、太陽電池モジュールＳＭ１からＳＭ３まで設置する。太陽電池モジュールＳＭ１からＳＭ３まで設置の後は、太陽電池モジュールＳＭ１〜ＳＭ３の上端下部の屋根固定フレーム１に上端固定フレーム２２を固定し、上端固定フレーム２２の太陽電池モジュール上端係合部２２ａに太陽電池モジュールＳＭ１〜ＳＭ３の上端を係合させる。以上の作業により、太陽電池モジュールＳＭ１〜ＳＭ３が架台へ設置される。
【００２６】
上端固定フレーム２２に下端固定フレーム２１を固定した後、以下同様にして、太陽電池モジュールＳＭ４〜ＳＭ５が設置され、更に、太陽電池モジュールＳＭ６〜ＳＭ８、太陽電池モジュールＳＭ９〜ＳＭ１０、太陽電池モジュールＳＭ１１〜ＳＭ１３の順序で太陽電池モジュールＳＭが設置され、最後に、太陽電池モジュールＳＭ１１〜ＳＭ１３の上端に上端固定フレーム２２の太陽電池モジュール上端係合部２２ａを係合させる。
前記作業の途中で上端固定フレーム２２又は下端固定フレーム２１と右端固定フレーム３１又は左端固定フレーム３２との係合固定が行われる。
【００２７】
また、図２に示す台形の屋根面に本発明の屋根一体型太陽電池モジュールを設置する場合も、前記四角形の屋根面の場合と同様に施工する。
なお、前記実施例においては、上段の太陽電池モジュールと下段の太陽電池モジュールを横方向に半ピッチずらして設置したが、ずらすことなくその太陽電池モジュールの両側端部を揃えて設置してもよい、この場合には、右側端フレーム３１及び左側端フレーム３２は複数の太陽電池モジュールを係合固定するので、その寸法を長くする必要がある。
【００２８】
更に、前述のように屋根固定フレーム１、下端固定フレーム２１、右端固定フレーム３１及び左端固定フレーム３２を用いて屋根面に設置された複数の太陽電池モジュールからなる屋根一体型太陽電池モジュールの上下、左右の４つの側辺には屋根固定フレーム１と下端固定フレーム２１との間に隙間ができるので、その上及び左右側辺は金属板等で覆うか又は前記図１１に示した弾性チューブにより隙間を塞ぐことにより、雨水の侵入を防止する。また、その下側辺については、その下の屋根面に瓦又は金属板等を葺くことにより雨水の侵入を防止する。
【００２９】
【発明の効果】
本発明は、架台を構成する各フレーム間及び各フレームとこれらに接する太陽電池モジュール間の防水性を向上させることにより、新築家屋においては瓦葺き前の屋根面、既築家屋においては瓦の上に太陽電池モジュールを施工可能にする。
【００３０】
その結果、新築家屋においては瓦葺きが不要となり、家屋の建設コストの低減に寄与するとともに、既築家屋においては、瓦が損傷していても、太陽電池モジュール自身が防水性を有するため、瓦の代用となり、瓦の葺き替え工事が不要となる。
【図面の簡単な説明】
【図１】  本発明の屋根一体型太陽電池モジュールおける、屋根面が四角形の場合の実施例を示す図（平面図）である。
【図２】  本発明の屋根一体型太陽電池モジュールおける、寄せ棟造りの屋根面の実施例を示す図（平面図）である。
【図３】  本発明の屋根一体型太陽電池モジュールの構成部品である下端固定フレームの断面図である。
【図４】  本発明の屋根一体型太陽電池モジュールの構成部品である上端固定フレームの断面図である。
【図５】  本発明の屋根一体型太陽電池モジュールの構成部品である下端固定フレームの斜視図である。
【図６】  本発明の屋根一体型太陽電池モジュールの構成部品である上端固定フレームの斜視図である。
【図７】  本発明の屋根一体型太陽電池モジュールの構成部品である右側端固定フレームの断面図である。
【図８】  本発明の屋根一体型太陽電池モジュールの構成部品である左側端固定フレームの断面図である。
【図９】  本発明の屋根一体型太陽電池モジュールの構成部品である右側端固定フレームの斜視図である。
【図１０】  本発明の屋根一体型太陽電池モジュールの構成部品である左側端固定フレームの斜視図である。
【図１１】  本発明の屋根一体型太陽電池モジュールの構成部品である左側端固定フレームと右側端固定フレームが係合した状態の断面図である。
【図１２】  本発明の屋根一体型太陽電池モジュールの構成部品である下端固定フレームと上端固定フレームが係合した状態の断面図である。
【符号の説明】
ＳＭＦ  屋根面直接設置型太陽電池モジュール用架台
１      屋根固定フレーム
１ａ    フレーム部
１ｂ    上端固定フレーム係合部
２ａ    防水シート
２ｂ    垂木
２ｃ    ネジ又は釘
２１    下端固定フレーム（太陽電池モジュール下端部固定部材）
２１ａ  太陽電池モジュール下端係合部
２１ｂ  上端固定フレーム係合部
ｎ1     ネジ穴
ｎ2     ネジ穴
２２    上端固定フレーム（太陽電池モジュール上端部固定部材）
２２ａ  太陽電池モジュール上端係合部
２２ｂ  下端固定フレーム係合部
２２ｃ  屋根固定部材係合部
２２ｄ  雨樋部
２２ｅ  雨水侵入防止部
２２ｆ1 ……２２ｆn   排水口
２２ｇ  弾性チューブ
ｎ1     ネジ穴
ｎ2     ネジ穴
３１    右側端固定フレーム（太陽電池モジュール右側端部固定部材
３１ａ  左側端固定フレーム接合部
３１ｂ  左側端固定フレーム係合部
３１ｃ  太陽電池モジュール右側端係合部
Ｎ2     ネジ穴
３２    左側端固定フレーム（太陽電池モジュール左側端部固定部材
３２ａ  右側端固定フレーム接合部
３２ｂ  右側端固定フレーム係合部
３２ｃ  太陽電池モジュール左側端係合部
３２ｄ  第１雨樋部
３２ｅ  第２雨樋部
３２ｆ  第３雨樋部
Ｎ1     ネジ穴
ＳＭ    太陽電池モジュール
【図１】
0004024928.tif 000002
【図２】
0004024928.tif 000003
【図３】
0004024928.tif 000004
【図４】
0004024928.tif 000005
【図５】
0004024928.tif 000006
【図６】
0004024928.tif 000007
【図７】
0004024928.tif 000008
【図８】
0004024928.tif 000009
【図９】
0004024928.tif 000010
【図１０】
0004024928.tif 000011
【図１１】
0004024928.tif 000012
【図１２】
0004024928.tif 000013